(57)【要約】      （修正有）【課題】農業用ハウスの二重構造フィルム間に意図した間隔の空隙を容易に形成でき、足場として利用した場合にフィルムや固定部材の損傷を生じない二重張り固定部材を提供する。【解決手段】母屋材２、桟材３に対してネジ止め固定された垂木材１１Ａ，１１Ｂと、この垂木材１１Ａ，１１Ｂの上部にネジ止め固定される複層用押さえ材１２と、この複層用押さえ材１２の上にネジ止め固定される押さえ材１３とからなる二重張り固定部材１０を用いて、硬質フィルム４，５を二重張りする。垂木材１１Ａ，１１Ｂは、上端に水平部あるいはＲ部を備え、複層用押さえ材１２は左右の脚部を備える底面部の上面から伸びる二列の垂直部と、上端折曲部とを備え、押さえ材１３は、コ字状断面の板状部からなり、垂木材１１Ａ，１１Ｂ、複層用押さえ材１２、押さえ材１３を内面側フィルムのネジ止め中心と外面側フィルムのネジ止め中心が長さ方向一直線上に位置する様に積み重ねてネジ止めする。【選択図】図１
0003155526.tif 000002
【実用新案登録請求の範囲】
【請求項１】
農業用ハウスの屋根面、妻面、側面等をフィルム二重張りとするための硬質フィルム二重張り固定部材であって、以下の構成を有することを特徴とする硬質フィルム二重張り固定部材。
（１）前記農業用ハウスの母屋材又は桟材に対してネジ止め固定される垂木材と、この垂木材の上部にネジ止め固定される複層用押さえ材と、この複層用押さえ材の上にネジ止め固定される押さえ材とから構成されていること。
（２）前記垂木材は、内面側のフィルムをネジ止めするネジと螺合する上端開口部分を備えた断面形状の型材で構成されていること。
（３）前記複層用押さえ材は、前記垂木材の上端開口部分の外面よりも幅広の凹部を底面に形成する様に左右の両縁が下方に湾曲された脚部を備える底面部と、この底面部の上面から前記垂木材の上端開口部分の内面間隔よりも若干広い間隔を開けて平行に上方に伸びる二列の垂直部と、この垂直部の上端を外開きの鉤状に折り曲げた上端折曲部とを備えた断面形状の型材で構成されていること。
（４）前記押さえ材は、前記複層押さえ材の上端折曲部よりも幅広の凹部を底面に形成する様に左右の両縁が下方に湾曲された脚部を備えるコ字状断面形状の型材で構成されていること。
（５）前記垂木材、複層用押さえ材及び押さえ材は、フィルムをネジ止めする際に、内面側のフィルムのネジ止め中心と外面側のフィルムのネジ止め中心が長さ方向一直線上に位置する様に積み重ねられる構造となっていること。
【請求項２】
さらに、以下の構成からなることを特徴とする請求項１記載の硬質フィルム二重張り固定部材。
（２−１）前記垂木材は、全体として直角三角形状のボトム空間部を形成する本体部と、この本体部において上端を外側へ曲げる様にして開口部を形成する左右の上端Ｒ部とを備え、該左右の上端Ｒ部は湾曲面で構成されていること。
（３−１）前記複層用押さえ材において、前記左右の脚部のフィルムとの接触面が湾曲面で構成されると共に、前記上端折曲部の先端が半円状断面とされると共に、前記二列の垂直部の間隔は、内面側の硬質フィルムを固定するためのネジの軸を挿通させることができる間隔とされ、前記上端折曲部の間隔は当該ネジの頭部を収納することのできる間隔とされていること。
（４−１）前記押さえ材は、底面中央に半円形断面突条が全長に渡り突設されると共に、前記左右の脚部のフィルムとの接触面は湾曲面で構成されるていること。
【請求項３】
さらに、以下の構成からなることを特徴とする請求項１記載の硬質フィルム二重張り固定部材。
（２−２）前記垂木材は、三角形が二つ重なった形状のボトム空間部を形成する正三角形状ボトム部と、この正三角形状ボトム部の左右の斜辺の途中から上方に平行に伸びる二列の垂直部と、これら各垂直部の上端を外へ開く方向に伸ばした上端水平部とを備え、前記二列の垂直部には前記内面側のフィルムをネジ止めするネジと螺合する溝が長さ方向全長に渡って形成され、前記上端水平部の左右縁はそれぞれ下方に向かって屈曲されると共に、この屈曲部分は湾曲面で構成されていること。
（３−１）前記複層用押さえ材において、前記左右の脚部のフィルムとの接触面が湾曲面で構成されると共に、前記上端折曲部の先端が半円状断面とされると共に、前記二列の垂直部の間隔は、内面側の硬質フィルムを固定するためのネジの軸を挿通させることができる間隔とされ、前記上端折曲部の間隔は当該ネジの頭部を収納することのできる間隔とされていること。
（４−１）前記押さえ材は、底面中央に半円形断面突条が全長に渡り突設されると共に、前記左右の脚部のフィルムとの接触面は湾曲面で構成されるていること。
【考案の詳細な説明】
【技術分野】
【０００１】
本考案は、農業用ハウスの屋根、側面、妻面等を硬質フィルム二重張り構造とするための技術に関する。
【背景技術】
【０００２】
農業用ハウスの保温・断熱効果を高めるために、屋根等のフィルムを二重張り構造とする提案がなされている（例えば、特許文献１，２）。
【０００３】
特許文献１は、図５（Ａ）に示す様に、シート受部材２４のシート受面２４ｃとの間で温室用第１シートＳ１を挟着する挟着部１１をもった部材本体１と、前記挟着部１１の幅方向外側位置から前記シート受部材２４とのシート挟着側に向って突出し、前記第１シートＳ１を押圧する１対の押圧脚部２、２と、前記部材本体１から反シート挟着側に向って突出し、温室用第２シート０の係止部材を受止める１対の係止壁部３、３とを備え、前記挟着部１１による第１シートの挟着時、前記押圧脚部２、２により前記第１シートに予め伸びを与えて弗素系樹脂フィルムから成るシートの外気温変化による伸びを防ぐと共に、シート挟着部分からの雨水浸入を防止し、温室用第２シートも張設できるようにしたものである。 
【０００４】
特許文献２は、図５（Ｂ）に示す様に、温室のフレーム１に連結する取付板２の両端に、それぞれ断面Ｖ形状のビスポケット３を外側に傾斜して一体に形成した下部固定部材１４と、この上に重なる断面逆凹形状のフイルム押え部１６の中間に支柱部６を立設し、この先端に断面凹形状の受けレール１０を形成して、この側壁を断面Ｖ形状のビスポケット３とした上部固定部材１５と、この上部固定部材１５のビスポケット３の上に重なるフイルム押え板８とから構成され、前記下部固定部材１４の上を覆うように内壁フイルム１１を設けて、この上から断面逆凹形状のフイルム押え部１６を重ね、外側に傾斜した下部固定部材１４のビスポケット３に斜めからビス９を接合して内壁フイルム１１を固定するようにしたものである。 
【先行技術文献】
【特許文献】
【０００５】
【特許文献１】特開平６−１３３６４８号公報（要約、図１）
【特許文献２】特開２００１−２１１７５８号公報（要約、図２）
【考案の概要】
【考案が解決しようとする課題】
【０００６】
特許文献１，２の技術では、外側のフィルムに対するテンションの付与が十分でなくなるおそれがあり、意図した間隔の空隙を二重フィルムの間に形成するための作業において、フィルムの張り具合を気にした面倒な作業が必要になるという問題がある。
【０００７】
また、特許文献１の技術により農業用ハウスの屋根を二重張りにした場合、屋根上で作業を行う際にフィルムに直接足を載せることになり、フィルム損傷という問題がある。特許文献２の技術による場合は、フィルム押さえ板８を利用して屋根上作業の足場とすることができるものの、支柱部６に対して曲げモーメントが加わって上部固定部材１５を損傷するという問題がある。
【０００８】
本考案は、農業用ハウスの屋根、側面、妻面等を硬質フィルムによる二重構造にする際に、当該二重構造のフィルム間に意図した間隔の空隙を容易に形成することができ、屋根を二重構造とした場合の屋根上作業の足場として利用した場合に、フィルムや固定部材の損傷を生じない様にすることを目的とする。
【課題を解決するための手段】
【０００９】
上記目的を達成するためになされた本考案の硬質フィルム二重張り固定部材は、農業用ハウスの屋根面、妻面、側面等をフィルム二重張りとするための硬質フィルム二重張り固定部材であって、以下の構成を有することを特徴とする。
（１）前記農業用ハウスの母屋材又は桟材に対してネジ止め固定される垂木材と、この垂木材の上部にネジ止め固定される複層用押さえ材と、この複層用押さえ材の上にネジ止め固定される押さえ材とから構成されていること。
（２）前記垂木材は、内面側のフィルムをネジ止めするネジと螺合する上端開口部分を備えた断面形状の型材で構成されていること。
（３）前記複層用押さえ材は、前記垂木材の上端開口部分の外面よりも幅広の凹部を底面に形成する様に左右の両縁が下方に湾曲された脚部を備える底面部と、この底面部の上面から前記垂木材の上端開口部分の内面間隔よりも若干広い間隔を開けて平行に上方に伸びる二列の垂直部と、この垂直部の上端を外開きの鉤状に折り曲げた上端折曲部とを備えた断面形状の型材で構成されていること。
（４）前記押さえ材は、前記複層押さえ材の上端折曲部よりも幅広の凹部を底面に形成する様に左右の両縁が下方に湾曲された脚部を備えるコ字状断面形状の型材で構成されていること。
（５）前記垂木材、複層用押さえ材及び押さえ材は、フィルムをネジ止めする際に、内面側のフィルムのネジ止め中心と外面側のフィルムのネジ止め中心が長さ方向一直線上に位置する様に積み重ねられる構造となっていること。
【００１０】
本考案の硬質フィルム二重張り固定部材によれば、（１）〜（５）の構成を備えたことにより、垂木材、複層用押さえ材及び押さえ材が、フィルムをネジ止めする際に、内面側のフィルムのネジ止め中心と外面側のフィルムのネジ止め中心が長さ方向一直線上に位置する様に積み重ねられ、特に、最も外側を押さえ材で覆っているので、例えば、屋根の足場として利用することができると共に、その場合に無理なモーメントが加わることがない。また、各フィルムのネジ止め作業は、一直線上に位置するネジ止め位置に対する作業であるから、作業者は内側フィルムを固定したネジ同士の間を狙って外側フィルムのネジ止めを行えばよく、作業がやり易い。
【００１１】
また、内面側硬質フィルムは、垂木の上端開口部と、複層押さえ材の脚部とによって屈曲によるテンションが加わった状態で固定される。同じく、外面側硬質フィルムは、複層押さえ材の上端折曲部と、押さえ材の脚部とによって屈曲によるテンションが加わった状態で固定される。従って、内外のフィルムの間には意図した間隔の空隙が形成される。
【００１２】
ここで、本考案の硬質フィルム二重張り固定部材において、さらに、以下の構成をも備えておくとよい。
（２−１）前記垂木材は、全体として直角三角形状のボトム空間部を形成する本体部と、この本体部において上端を外側へ曲げる様にして開口部を形成する左右の上端Ｒ部とを備え、該左右の上端Ｒ部は湾曲面で構成されていること。
（３−１）前記複層用押さえ材において、前記左右の脚部のフィルムとの接触面が湾曲面で構成されると共に、前記上端折曲部の先端が半円状断面とされると共に、前記二列の垂直部の間隔は、内面側の硬質フィルムを固定するためのネジの軸を挿通させることができる間隔とされ、前記上端折曲部の間隔は当該ネジの頭部を収納することのできる間隔とされていること。
（４−１）前記押さえ材は、底面中央に半円形断面突条が全長に渡り突設されると共に、前記左右の脚部のフィルムとの接触面は湾曲面で構成されるていること。
【００１３】
同じく、本考案の硬質フィルム二重張り固定部材において、さらに、以下の構成をも備えておくとよい。
（２−２）前記垂木材は、三角形が二つ重なった形状のボトム空間部を形成する正三角形状ボトム部と、この正三角形状ボトム部の左右の斜辺の途中から上方に平行に伸びる二列の垂直部と、これら各垂直部の上端を外へ開く方向に伸ばした上端水平部とを備え、前記二列の垂直部には前記内面側のフィルムをネジ止めするネジと螺合する溝が長さ方向全長に渡って形成され、前記上端水平部の左右縁はそれぞれ下方に向かって屈曲されると共に、この屈曲部分は湾曲面で構成されていること。
（３−１）前記複層用押さえ材において、前記左右の脚部のフィルムとの接触面が湾曲面で構成されると共に、前記上端折曲部の先端が半円状断面とされると共に、前記二列の垂直部の間隔は、内面側の硬質フィルムを固定するためのネジの軸を挿通させることができる間隔とされ、前記上端折曲部の間隔は当該ネジの頭部を収納することのできる間隔とされていること。
（４−１）前記押さえ材は、底面中央に半円形断面突条が全長に渡り突設されると共に、前記左右の脚部のフィルムとの接触面は湾曲面で構成されるていること。
【００１４】
（２−１）の様な垂木材としては、スチール製垂木材として市販されているものを用いることができる。また、（２−２）の様な垂木材としては、アルミ合金製垂木材として市販されているものを用いることができる。従って、本願考案は、既存の一重張りフィルムハウスの押さえ材を外して、複層押さえ材を介在させることによって二重張りにするという形態での利用も可能である。そして、その様なリフォームにおいても新築においても、二重張りされる各フィルムに対してしっかりとテンションを与えつつ、フィルムの損傷も防止でき、足場として利用する際のベースである垂木も荷重をしっかりと受け止めることができるものとなる。
【考案の効果】
【００１５】
本考案によれば、農業用ハウスの屋根、側面、妻面等を硬質フィルムによる二重構造にする際に、当該二重構造のフィルム間に意図した間隔の空隙を容易に形成することができ、屋根を二重構造とした場合の屋根上作業の足場として利用した場合に、フィルムや固定部材の損傷を生じない様にすることができる。
【図面の簡単な説明】
【００１６】
【図１】実施例１の農業用ハウスを示し、（Ａ）は平面図、（Ｂ）は側面図、（Ｃ）は拡大断面図、（Ｄ）〜（Ｇ）は要部拡大図である。
【図２】実施例１においてアルミ合金製垂木材を用いた硬質フィルム二重張り固定部材の拡大正面図である。
【図３】実施例１においてスチール製垂木材を用いた硬質フィルム二重張り固定部材の拡大正面図である。
【図４】実施例１において硬質フィルム二重張り固定部材の部品として採用したアルミ合金製押さえ部材を示し、（Ａ）は正面図、（Ｂ）は平面図、（Ｃ）は底面図、（Ｄ）は右側面図、（Ｅ）はａ−ａ断面図である。
【図５】実施例１においてアルミ合金製垂木材を用いた場合のフィルム二重張りの手順を示す説明図である。
【図６】実施例１においてスチール製垂木材を用いた場合のフィルム二重張りの手順を示す説明図である。
【図７】従来技術の説明図である。
【考案を実施するための形態】
【００１７】
以下に、本考案の農業用ハウスにおける硬質フィルム二重張り固定部材の実施形態を実施例に基づいて説明する。
【実施例１】
【００１８】
実施例１の農業用ハウス１は、図１（Ａ），（Ｂ）に示す様に、屋根面、妻面、桁面（側面）を全て硬質フィルム二重張りとしている。より具体的には、図１（Ｃ）〜（Ｇ）に示す様に、母屋材２、桟材３に対してネジ止め固定された垂木材１１Ａ，１１Ｂと、この垂木材１１Ａ，１１Ｂの上部にネジ止め固定される複層用押さえ材１２と、この複層用押さえ材１２の上にネジ止め固定される押さえ材１３とからなる二重張り固定部材１０を用いて、内面用の硬質フィルム４と外面用の硬質フィルム５とが二重張りされる。
【００１９】
二重張り固定部材１０を構成する部材の内、垂木材１１Ａ，１１Ｂと、押さえ材１３とだけを用いてフィルムを張ることもできる。この場合は、一層張りとなる。
【００２０】
垂木材１１Ａはアルミ合金製型材で構成され、天窓８の開口下縁、棟木側の屋根上縁、谷部下縁、側面の上下縁など、横通りの部位（水平方向にのびる部位）に設置する場合に用いる。一方、垂木材１１Ｂはスチール製型材で構成され、アルミ合金製垂木材１１Ａを用いるべき部位以外の屋根面、妻面、側面等の全域に用いられる。これは、横通りの部位では雨水がたまり易いため、スチール製では錆が発生するおそれが高いからである。
【００２１】
アルミ合金製の垂木材１１Ａは、図２に示す様に、三角形が二つ重なった形状のボトム空間部１１Ａａを形成する正三角形状ボトム部１１Ａｂと、この正三角形状ボトム部１１Ａｂの左右の斜辺の途中から上方に平行に伸びる二列の垂直部１１Ａｃ，１１Ａｄと、これら各垂直部１１Ａｃ，１１Ａｄの上端を外へ開く方向に伸ばした上端水平部１１Ａｅ，１１Ａｆと、三角形状ボトム部１１Ａｂの底辺を図示左方向に伸ばした底面水平部１１Ａｇとを備えた断面形状のアルミ合金製型材で構成されている。上端水平部１１Ａｅ，１１Ａｆの左右縁はそれぞれ下方に向かって屈曲されている。この屈曲部分はフィルムに損傷を与えない様に湾曲面で構成される。また、垂直部１１Ａｃ，１１Ａｄの各内面には、三角形断面形状の突条１１Ａｈ，１１Ａｉがそれぞれ複数条、全長に渡って突設されている。左側の垂直部１１Ａｃの突条１１Ａｈと右側垂直部１１Ａｄの突条１１Ａｉは、ネジに螺合する様に、ネジピッチに対応して高さ方向にずれた配置となっている。また、底面水平部１１Ａｇには、ネジの先端を位置合わせし易くするための三角形断面溝１１Ａｊが全長に渡り上面に刻設されている。
【００２２】
スチール製の垂木材１１Ｂは、図３に示す様に、全体として直角三角形状のボトム空間部１１Ｂａを形成する本体部１１Ｂｂと、この本体部１１Ｂｂにおいて上端を外側へ曲げる様にして形成された開口部１１Ｂｃを形成する上端Ｒ部１１Ｂｄ，１１Ｂｅと、図示左側の上端Ｒ部１１Ｂｄから本体部１１Ｂｂの垂直部に沿って下方に伸びた後に外側へ水平に折り曲げられた底面水平部１１Ｂｆとを備えた断面形状のスチール製型材で構成されている。左右の上端Ｒ部１１Ｂｄ，１１Ｂｅは、フィルムに損傷を与えない様に湾曲面で構成される。
【００２３】
複層用押さえ材１２は、図２〜図４に示す様に、アルミ合金製垂木材１１Ａの上端水平部１１Ａｅ，１１Ａｆ、並びにスチール製垂木材１１Ｂの上端Ｒ部１１Ｂｄ，１１Ｂｅよりも幅広の凹部１２ａを底面に形成する様に左右の両縁が下方に湾曲された脚部１２ｂ，１２ｃを備える底面部１２ｄと、この底面部１２ｄの上面からアルミ合金製垂木材１１Ａの垂直部１１Ａｃ，１１Ａｄの間隔、並びにスチール製垂木材１１Ｂの上端Ｒ部１１Ｂｄ，１１Ｂｅの間隔よりも若干広い間隔を開けて平行に上方に伸びる二列の垂直部１２ｅ，１２ｆと、この垂直部１２ｅ，１２ｆの上端を外開きの鉤状に折り曲げた上端折曲部１２ｇ，１２ｈとを備えた断面形状のアルミ合金製型材で構成されている。左右の脚部１２ｂ，１２ｃのフィルムとの接触面は、フィルムに損傷を与えない様に湾曲面で構成される。同じく、上端折曲部１２ｇ，１２ｆの先端も半円状断面となっていてフィルムと接触しても損傷を与えない様にされている。なお、垂直部１２ｅ，１２ｆの間隔は、内面用の硬質フィルム４を固定するためのネジの軸を挿通させることができる間隔とされ、上端折曲部１２ｇ，１２ｈの間隔は当該ネジの頭部を収納することのできる間隔とされている。即ち、これら垂直部１２ｅ，１２ｆ及び上端折曲部１２ｇ，１２ｈの間に形成される段付溝１２ｉは内面側フィルム４を固定するネジを収納すると共に、当該ネジの締め上げにおけるワッシャ等の代わりをするスペーサ的な役割を果たす部分として構成されている。なお、この段付溝１２ｉの底はＵ字状にされ、Ｕ字状の底の中心の裏側には三角形断面溝１２ｊが全長に渡り刻設されている。この底面部１２ｄに刻設された三角形断面溝１２ｊは、施工前にドリル等でネジ止め位置となる下孔を明けておくときの中心合わせに役立つ。なお、図４（Ｃ）〜（Ｄ）の平面図、底面図及び右側面図は、部材の長さ方向の全長を表すものではなく、実際には複層用押さえ材１２は長尺の型材であって、所用長さに切断して用いられる。
【００２４】
押さえ材１３は、図２，図３に示す様に、複層押さえ材１２の上端折曲部１２ｇ，１２ｈよりも幅広の凹部１３ａを底面に形成する様に左右の両縁が下方に湾曲された脚部１３ｂ，１３ｃを備えるコ字状断面の板状部１３ｄからなる断面形状のアルミ合金製型材で構成されている。上面中央には、三角形断面溝１３ｅが全長に渡り刻設されており、底面中央には半円形断面突条１３ｆが全長に渡り突設されている。なお、左右の脚部１３ｂ，１３ｃのフィルム５との接触面は、フィルムに損傷を与えない様に湾曲面で構成される。
【００２５】
次に、二重張り固定部材１０によって硬質フィルムを二層に張る際の手順を図５，図６に従って説明する。まず最初に、垂木材１１Ａ，１１Ｂの上面に内面側硬質フィルム４をピンとなる様に端を引っ張った状態でセットし（Ａ）、その上から複層用押さえ材１２でフィルム４を押さえ付け（Ｂ）、所定間隔毎にネジ止めする（Ｃ）。次に、その上から外面側硬質フィルム５をピンとなる様に端を引っ張った状態でセットし（Ｄ）、押さえ材１３でフィルム５を押さえ付け（Ｅ）、所定間隔毎にネジ止めする（Ｆ）。このとき、（Ｃ）の手順でのネジ止め位置と、（Ｆ）の手順でのネジ止め位置は長さ方向にずらした位置とする。また、（Ｃ）の手順で使用するネジ６は、複層押さえ材１２の垂直部１２ｅ，１２ｆの間隔よりも細く、アルミ合金製垂木材１１Ａの垂直部１１Ａｃ，１１Ａｄの内面、あるいはスチール製垂木材１１Ｂの上端Ｒ部１１Ｂｄ，１１Ｂｅの内面に対してしっかりと螺合する長さを有する。一方、（Ｆ）の手順で用いるネジ７は、複層押さえ材１２の段付溝１２ｉの深さよりも短く、かつ段付溝１２ｉを構成する左右の垂直部１２ｅ，１２ｆに対して螺合する太さを有する。
【００２６】
以上の様にして、本実施例によれば、内面側硬質フィルム４は、アルミ合金製垂木材１１Ａの上端水平部１１Ａｅ，１１Ａｆあるいはスチール製垂木材１１Ｂの上端Ｒ部１１Ｂｄ，１１Ｂｅと、複層押さえ材１２の脚部１２ｂ，１２ｃとによって屈曲によるテンションが加わった状態で固定される。同じく、外面側硬質フィルム５は、複層押さえ材１２の上端折曲部１２ｇ，１２ｆと、押さえ材１３の脚部１３ｂ，１３ｃ及び半円形断面突条１３ｆとによって、屈曲によるテンションが加わった状態で固定される。従って、フィルム４とフィルム５の間には意図した間隔の空隙が形成される。また、押さえ材１３を足場として利用することができ、その際、垂木材１１Ａ，１１Ｂ、複層押さえ材１２及び押さえ材１３の中心が一致した状態であるから、二重張り固定部材１０で作業者の体重を母屋材２に対して垂直に受け止めることができる。
【００２７】
本実施例によれば、新築での施工はもちろん、既存のハウスを複層化する技術としても利用することができる。特に、既存のハウスを複層化するときは、押さえ材１３を取り外して複層押さえ材１２を介して内面側のフィルム４を張設し、外面側のフィルム５をセットして押さえ材１３と複層押さえ材１２とで張設するという屋外施工作業で対応できることから、ハウス内の作物、ベンチ、カーテンなどが邪魔にならない。特に、妻面には制御板、入口、スライドカーテン等など多くの機器、設備が付いていることから、従来の複層化技術では施工が困難であったが、本実施例によれば、容易にせこうすることができ、複層フィルムの間に形成する隙間間隔も正しく維持される。
【００２８】
以上、本考案の一実施例について説明したが、本考案はこの実施例に限られるものではなく、その要旨を逸脱しない範囲内においてさらに種々の形態を採用することができることはもちろんである。
【００２９】
なお、実施例１では、横通りにはアルミ合金製垂木材１１Ａを用いているが、横通りも含めて全てをスチール製垂木材１１Ｂとしても構わない。同様に、全てをアルミ合金製垂木材１１Ａとしても構わない。
【産業上の利用可能性】
【００３０】
農業用ハウスの屋根、側面、妻面等を硬質フィルムによる二重構造としてハウスの保温・断熱効果を高める際に利用することができる。
【符号の説明】
【００３１】
１・・・農業用ハウス
２・・・母屋材
３・・・桟材
４・・・内面用の硬質フィルム
５・・・外面用の硬質フィルム
６・・・ネジ
７・・・ネジ
８・・・天窓
１０・・・二重張り固定部材
１１Ａ・・・アルミ合金製垂木材
１１Ａａ・・・ボトム空間
１１Ａｂ・・・正三角形状ボトム部
１１Ａｃ，１１Ａｄ・・・垂直部
１１Ａｅ，１１Ａｆ・・・上端水平部
１１Ａｇ・・・底面水平部
１１Ａｈ，Ａ１１ｉ・・・突条
１１Ａｊ・・・三角形断面溝
１１Ｂ・・・スチール製垂木材
１１Ｂａ・・・ボトム空間部
１１Ｂｂ・・・本体部
１１Ｂｃ・・・開口部
１１Ｂｄ，１１Ｂｅ・・・上端Ｒ部
１１Ｂｆ・・・底面水平部
１２・・・複層用押さえ材
１２ａ・・・凹部
１２ｂ，１２ｃ・・・脚部
１２ｄ・・・底面部
１２ｅ，１２ｆ・・・垂直部
１２ｇ，１２ｈ・・・上端折曲部
１２ｉ・・・段付溝
１２ｊ・・・三角形断面溝
１３・・・押さえ材
１３ａ・・・凹部
１３ｂ，１３ｃ・・・脚部
１３ｄ・・・板状部
１３ｅ・・・三角形断面溝
１３ｆ・・・半円形断面突条
【図１】
0003155526.tif 000003
【図２】
0003155526.tif 000004
【図３】
0003155526.tif 000005
【図４】
0003155526.tif 000006
【図５】
0003155526.tif 000007
【図６】
0003155526.tif 000008
【図７】
0003155526.tif 000009